(57)【要約】      （修正有）【課題】折り畳む際の作業効率の向上を図ったタオルを提供する。【解決手段】タオル１は、両面にループ２０２を織り出したパイル織で組成されたタオル本体２と、該タオル本体に連続するとともに端縁が折り返されて構成されたヘム部３と、を備え、ヘム部は、ワッフル（蜂巣）織で組成された織物から構成されている。ヘム部は、ワッフル（蜂巣）織で組成された織物から構成されていることにより、表裏の区別なく折り畳んで仕上げられる。これによれば、タオルを折り畳む際に、表裏の確認を省略することができるから、作業効率の向上を図ることができる。【選択図】図１
0003234778.tif 000002
【実用新案登録請求の範囲】
【請求項１】
両面にパイルを織り出したパイル織で組成されたタオル本体と、
該タオル本体に連続するとともに、前記タオル本体の端縁が折り返されて構成されたヘム部と、を備え、
前記ヘム部は、ワッフル（蜂巣）織で組成された織物から構成されていることを特徴とするタオル。
【請求項２】
前記ヘム部は、三つ折りされていることを特徴とする請求項１に記載のタオル。
【考案の詳細な説明】
【技術分野】
【０００１】
本考案は、タオルに関する。
【背景技術】
【０００２】
一般に、タオルは、パイル織で組成されたタオル本体を有し、例えば平織の素地をタオル本体の周囲に設けることにより形成されている。タオルの長手方向の両端には、二つ折りされたヘム部が形成されているものが多いことから、タオルには表裏の面が存在する。
【０００３】
タオルは、ホテルや旅館等で使用された後、洗濯業者等により回収され、洗濯、乾燥等を経て、例えば布類を自動で折畳む装置により折り畳まれた後、袋詰めにされた状態で、再びホテルや旅館等に納品される（例えば、特許文献１参照）。
【先行技術文献】
【特許文献】
【０００４】
【特許文献１】特開２００４−１８２４５９号公報
【考案の概要】
【考案が解決しようとする課題】
【０００５】
しかしながら、ホテルや旅館等では、納品される布類は表面が視認できる状態にあることを希望するため、布類を自動で折畳む装置に布類を投入する際に、布類の表裏面を人手により確認しなければならず、作業効率を低下させていた。
【０００６】
本考案の目的は、折り畳む際の作業効率の向上を図ったタオルを提供することにある。
【課題を解決するための手段】
【０００７】
上記目的は、以下の本考案によって解決される。
即ち、本考案は、両面にパイルを織り出したパイル織で組成されたタオル本体と、該タオル本体に連続するとともに、前記タオル本体の端縁が折り返されて構成されたヘム部と、を備え、前記ヘム部は、ワッフル（蜂巣）織で組成された織物から構成されていることを特徴とするタオルである。
【０００８】
即ち、タオルは、両面にパイルを織り出したパイル織で組成されたタオル本体と、該タオル本体に連続するとともに、タオル本体の端縁が折り返されて構成されたヘム部と、を備え、ヘム部は、ワッフル（蜂巣）織で組成された織物から構成されている。即ち、タオル本体は両面にパイルを織り出したパイル織で組成され、ヘム部は、ワッフル（蜂巣）織で組成された織物から構成されていることで、ワッフル織の凹凸により、タオル本体とヘム部との境界部の表裏の面の区別がつきにくくなる。これにより、本考案品のタオルを折り畳む際に、表裏の確認を省略することができるから、作業効率の向上を図ることができる。
【０００９】
また、ヘム部は、三つ折りされていることが好ましい。これによれば、タオル本体とヘム部との境界部における表裏の面の区別がつきにくくなり、より一層、作業効率の向上を図ることができる。
【考案の効果】
【００１０】
本考案によれば、折り畳む際の作業効率の向上を図ることができる。
【図面の簡単な説明】
【００１１】
【図１】本考案の一実施の形態にかかるタオルを示す斜視図である。
【図２】前記タオルを構成する本体部の構成を示す図である。
【考案を実施するための形態】
【００１２】
以下、本考案の一実施の形態にかかるタオル１を、図１、２を参照して説明する。図１は、本考案の一実施の形態にかかるタオルを示す斜視図である。図２は、前記タオルを構成する本体部の構成を示す図である。本実施形態に係るタオル１は、図１に示すように、両面にループ（パイル）を織り出したパイル織で組成された長方形状のタオル本体２と、該タオル本体２の長手方向Ｙの両端部に設けられたヘム部３と、を備える。
【００１３】
タオル本体２は、図１に示すように、長方形状の本体部２０と、該本体部２０の幅方向Ｘの両端部に設けられた耳部２１と、を備える。
【００１４】
本体部２０は、図１、２に示すように、横方向（幅方向Ｘ）に延在する地緯糸２００（図２に示す）と、縦方向（長手方向Ｙ）に延在する地経糸２０１（図２に示す）と、これらの地緯糸２００及び地経糸２０１に織り込まれて表裏の両側にループ状に形成された表側パイル経糸２０２（図２に示す）と、裏側パイル経糸２０３（図２に示す）と、を備えて構成されている。この本体部２０は、糸を送り出す速度が遅く強く張った状態の地経糸２０１及び１本１本の地緯糸２００を筬で打ち込むことにより素地を形成する際に、糸を送り出す速度が速く緩めに張った表側パイル経糸２０２及び裏側パイル経糸２０３を２本の地緯糸２００とともに少し間隔を空けて打ち込み、３本目の地緯糸２００の投入と同時にまとめて筬で打ち込むテリーモーションと呼ばれる特殊な動作で表側パイル経糸２０２及び裏側パイル経糸２０３をループ状に緩ませることにより形成されている。
【００１５】
耳部２１は、図１、２に示すように、地緯糸２００（図２に示す）及び地経糸２０１（図２に示す）が、例えば平織に織成され、その端縁がＵ字状に折り返されて縫着（耳縫い）されることで構成されている。以下では、本体部２０の幅方向Ｘの両側に連続して平織に織成された部分を耳（符号２１と同じ部分）と記す場合がある。本実施形態の耳部２１は、平織に織成されているが、綾織又は朱子織に織成されていてもよく、表裏の区別がないようにＵ字状に折り返されて耳縫いされていればよい。
【００１６】
ヘム部３は、図１、２に示すように、地緯糸２００（図２に示す）及び地経糸２０１（図２に示す）を長く浮かせることで、表裏に菱形や方形の枡形を織り出すワッフル織（蜂巣）に織成され、その端縁が三つ折りされて縫着されることで構成されている。以下では、本体部２０の長手方向Ｙの両側に連続してワッフル織に織成された部分をヘム（符号３と同じ部分）と記す場合がある。なお、本実施形態では、ヘム部３は、その端縁が三つ折りされて縫着されることで構成されているが、本考案はこれに限定されるものではない。ヘム部は、その端縁がＵ字状に折り返されて（二つ折りに）縫着されていてもよい。
【００１７】
このようなタオル１を製造する際には、地緯糸２００、地経糸２０１、表側パイル経糸２０２、及び裏側パイル経糸２０３を用いて織り上がったタオル生地を所定の幅寸法Ｘで裁断する。この後、耳をＵ字状に折り返して縫着（耳縫い）し、その後、ヘムを、三つ折りして縫着することで完成する。完成したタオルは、表裏の区別がつきにくく、表裏の確認を省略しつつ、折り畳まれる。
【００１８】
上述した実施形態によれば、タオル１は、両面にループ２０２、２０３を織り出したパイル織で組成されたタオル本体２と、該タオル本体２に連続するとともに、タオル本体２の端縁２ａが折り返されて構成されたヘム部３と、を備え、ヘム部３は、ワッフル（蜂巣）織で組成された織物から構成されている。即ち、タオル本体２は両面にループ２０２、２０３を織り出したパイル織で組成され、ヘム部３は、ワッフル（蜂巣）織で組成された織物から構成されていることで、ワッフル織の凹凸により、タオル本体とヘム部との境界部の表裏の面の区別がつきにくくなる。これにより、本考案品のタオルを折り畳む際に、表裏の確認を省略することができるから、作業効率の向上を図ることができる。これにより、本考案品のタオルを折り畳む際に、表裏の確認を省略することができるから、作業効率の向上を図ることができる。
【００１９】
また、ヘム部３は、三つ折りされて構成されている。これによれば、タオル本体２とヘム部３との表側の境界部４ｆ、裏側の境界部４ｂにおける表裏の面の区別がつきにくくなり、より一層、作業効率の向上を図ることができる。
【００２０】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の衣服の構成を具備する限り、勿論、本考案の範疇に含まれるものである。
【符号の説明】
【００２１】
１      タオル
２      タオル本体
２ａ    タオル本体の端縁
２０２  表側パイル経糸（パイル）
２０３  裏側パイル経糸（パイル）
３      ヘム部
【図１】
0003234778.tif 000003
【図２】
0003234778.tif 000004